(57)【要約】【課題】  年々増加する自動車盗難行為及び車上荒らしを含めた盗難防止と発見を迅速に行う事ができる自動車盗難防止システムの実現が望まれている。  本、システムはこのような自動車盗難行為、車上荒らし等を迅速に発見、検知しその検知情報を迅速に警報サイレン等により発し被害を最小限に押さえることができる装置とワイヤレスによる音楽再生装置を複合化し設置、配線工事、等を簡略化し容易にセットして自動車でセキュリティーと音楽を楽しむ事ができる装置を具現化するものである。【解決手段】自動車盗難行為及び車上荒らし車両侵入等を検知する事ができる本発明の検知センサーをシガライターソケットに対応したプラグに組み込み更にワイヤレス又は専用線を用いて車両内進入による異常検知信号を警報装置へ送信し車両の異常を警報サイレン等により発する事が出来る手段とこれらの装置を無配線化により簡単に自動車への設置する事ができるワイヤレス通信方式手段を用いて課題解決を図る。【選択図】  図２
2006199254.tif 000002
【特許請求の範囲】
【請求項１】
自動車のシガーライターソケットに対応したプラグ構造と一体化を図ったワイヤレス自動車セキュリティー装置と電源構成を共通化したワイヤレス音楽再生装置の複合化を図った構成において自動車盗難行為、車上荒らし等の検知を迅速に行う事ができる検知センサー、異常検知認識部、セキュリティー警報送信部、電源部、等を構成し更に警報を発する事ができる構成を有した警報装置へ自動車の盗難行為及び車上荒らしを目的として車両のドアー開閉及びガラス窓、等の破損を行い車両内へ侵入した侵入者の検知を行ないその検知信号を無線又は通信線等の手段を用いて自動車バッテリーに接続されている警報装置へ制御信号を送り警報サイレン等の関連警報装置を動作させ自動車の異常を周囲へ知らせる事が出来る構成を有したリモコン操作により動作させる事ができるワイヤレス自動車セキュリティー装置と更に外部の音楽再生装置からアナログによる音楽信号及びフラッシュメモリー等に記録されたデジタルによる音楽データーを入力し適合ソフト認識部、音楽再生信号処理部、音楽信号制御部、無線送信部、等による音楽再生機能構成を有しその音楽を自動車に設置されている放送受信装置へ送信してスピーカーより音楽を聞く事ができる構成を有したワイヤレス音楽再生装置とワイヤレス自動車セキュリティー装置と一体化をなした構成により自動車走行時は音楽再生装置として使用する事ができ更に駐車時は自動車セキュリティー装置として動作する事ができる機能と特徴を有したワイヤレス自動車セキュリティー装置。
【請求項２】
請求項１の複数機能を構成した装置において自動車を駐車状態にした場合、ワイヤレスリモコンのセキュリティーＯＮツマミを操作した場合はワイヤレス自動車セキュリティー装置のみが動作を行い一方の音楽再生装置の電源はＯＦＦする構成とし更に自動車を運転状態にする為にワイヤレスリモコンのセキュリティーＯＦＦツマミを操作する事により音楽再生装置のみが動作を可能とする特徴を持ったワイヤレス自動車セキュリティー装置のワイヤレスリモコン制御方式。
【請求項３】
自動車のシガーライターソケットに対応したプラグ構造と一体化を図ったワイヤレス自動車セキュリティー装置の構成において自動車盗難行為、車上荒らし等の検知を迅速に行う事ができる検知センサー、異常検知認識部、セキュリティー警報送信部、電源部、等を構成し更に警報を発する事ができる構成を有した警報装置へ自動車の盗難行為及び車上荒らしを目的として車両のドアー開閉及びガラス窓、等の破損を行い車両内へ侵入した侵入者の検知を行ないその検知信号を無線又は通信線、等の手段を用いて自動車バッテリーに接続されている警報装置へ制御信号を送り警報サイレン等の関連警報装置を動作させ自動車の異常を周囲へ知らせる事が出来る構成を有したリモコン操作により動作する事ができるワイヤレス自動車セキュリティー装置。
【請求項４】
自動車のシガーライターソケットに対応したプラグ構造と一体化を図った自動車の盗難行為及び車上荒らし等を検知する事ができるワイヤレス自動車セキュリティー装置の構成において侵入者が車両内へ侵入し警報サイレンが鳴り出し侵入者により自動車セキュリティー装置を破損され警報サイレン停止が不可能になった場合、ワイヤレスリモコンからプラグ構造と一体化を図った自動車セキュリティー装置のリモコン受信機へ送信するリモコンＯＦＦ信号を同時に自動車バッテリーへ接続されている警報装置のセキュリティー警報受信機へ送信する事により警報サイレンを停止する事ができる特徴を持ったワイヤレス自動車セキュリティー装置のワイヤレスリモコン制御方式。
【発明の詳細な説明】
【技術分野】
【０００１】  本発明は、自動車盗難防止システムに関するもので、自動車の盗難行為及び車上荒らしを目的として車両内への侵入者を検知しその異常検知を周囲へ警報サイレンにより警報を発し威嚇により自動車の盗難行為又は車上荒らしを事前に防止する事が出来る機能と自動車盗難防止装置を使用しない間は音楽を再生する事ができる音楽再生装置をシガーライターソケットに対応したプラグに一体化し複合機能により構成された装置としての特徴を有した自動車盗難防止装置に関する。
【背景技術】
【０００２】  自動車盗難防止システムは、既に多くの商品が開発され自動車盗難防止に役立っている。従来の自動車盗難防止システム方式は機械的な方式と電子的な方式の２通りが存在しそれぞれの役目を果たしている。【０００３】  しかしながらこれらの従来方式システムにおいて自動車を完全に盗難から守る為には未だ多くのシステムに関する研究開発及び高性能な盗難検知センサーの開発が必要である。  しかしこのような状況においても従来の自動車盗難防止システムには優れた機能、性能を有したシステムも多数開発販売され多発化する自動車盗難防止対策に役立っている。【０００４】  現在、実用化されている自動車盗難防止システムは機械的な方式と電子的な方式の２方式が存在しそれぞれの役目を果たしている。【０００５】  機械的な方式は自動車のハンドル、車輪、変速機、等を固定器具により固定し容易に自動車が発進出来ないようにした自動車盗難防止システムである。  このような固定器具によりハンドル等が固定された自動車の盗難行為により自動車を発進させる為には固定器具を破損させなくてはならなくその為に専用の工具等が必要で破損には時間がかかる。これらの固定器具は価格も安価で容易に入手でき身近な装置として自動車の盗難防止に役立っている。但し、駐車及び運転の度に固定器具をセット又は外さなくてはならない操作上の煩わしさもある。【０００６】  電子的方式の基本は自動車の盗難行為を行なおうと車両内へ侵入又は車両に異常を加えた場合、自動車の各部に備え付けられている各種検知センサーが盗難行為を検知しシステムに組み込まれている警報装置が作動し盗難行為の発生と同時に警報サイレンを鳴らし周囲及び盗難行為を行っている犯人へ警告し盗難行為を中止させようとする方式である。【０００７】  これらの方式は発売機種も多く一般的に普及し使用されている。但し、このようなシステムに使用されている多くの検知センサーは動作設定範囲が広く設定環境の変化により誤動作が発生し警報サイレンが鳴る事も度々あり周囲に迷惑をかける事も少なくない。【０００８】  この他、電子的方式システムの一例として自動車盗難行為時に自動車の動力系、即ちエンジン始動を停止させる事が可能な方式がある。自動車に取りつけられているセンサーが異状検知した場合エンジン始動を停止する事が出来る制御回路によりエンジン始動のスターター起動停止、燃料ポンプの機能停止を行なう。【０００９】  最近では自動車のエンジンキー内にＩＣチップを埋め込み自動車のＩＤを記憶させ自動車のエンジンを始動する際、このＩＤと自動車のエンジン制御システムに記憶されているＩＤが一致しない場合、エンジンが始動できないイモビライザー方式も普及し始めている。【００１０】  しかし自動車盗難防止装置はユーザーの要求に対応し簡易なシステムから配線工事を必要とする高価で複雑なシステムまで販売されておりその種類は多岐にわたりっている。【００１１】  最近の自動車盗難事件の発生件数は増加の一途をたどり平成１４年度は年間６万２千件を超え損害保険会社の保険金支払い額は年聞６００億円に達している。【００１２】  叉、自動車盗難事件と並んで自動車内に置いてあるバッグ等の貴重品、車内に設置されているカーオーディオ���ステム、カーナビゲーションシステム及び自動車の装備品（高価な車輪ホイール、タイヤ等）等の車上荒しは年間４２万件（警察等への被害届済み）に達し実質１００万件以上と推定されここ数年大幅に増加し減少傾向が期待できない状況にある。【００１３】  最近はこのような自動車盗難事件の増加に伴い自動車盗難防止装置の要求が高まり市場の延びも毎年上昇基調にあり。同時に手軽で自動車へ設置する事が出来る盗難防止装置も期待されている。【００１４】  又、自動車で音楽を簡単に聞く事が出来る小型の高性能音楽再生装置の要望も高まり本発明のワイヤレス自動車セキュリティー装置に新しい音楽の楽しみ方が出来る構成を有したワイヤレス方式により自動車に設置されている放送受信機を介して音楽を聞く事ができるワイヤレス音楽プレーヤー装置を自動車セキュリティー装置と一体化した構成により自動車分野へ提供するものである。
【発明の開示】
【発明が解決しようとする課題】
【００１５】  本発明が解決しようとする課題は自動車盗難行為に対応する事ができる簡単で更に確実に誤動作が起こらない配線等の工事を不要とした低コストで容易に自動車へ設置する事ができる構成を有した装置と自動車盗難装置を使用しない時には高性能な音楽をワイヤレス手段を用いて自動車に設置されている放送受信機により音楽を聞く事ができる装置をシガーライターソケットに対応したプラグに一体化し複合技術により具現化するものである。
【課題を解決するための手段】
【００１６】  本発明は上記、課題解決の為に次の技術的手段を有する。  本発明は自動車のドアー又はガラスを破損させて車両内へ侵入した侵入者を検知する事ができる検知センサーをシガーライタソケットに対応したワイヤレス自動車セキュリティー装置に配置しドアー開閉又はガラス破損、等により車両内の気圧、音圧、侵入、による異常変化を迅速に検知する事ができる構成を有し検知技術及び通信手段により解決を図るものである。【００１７】  検知センサーは３６０度の方向からドアー開閉時の気圧、音圧、進入を感知する事ができる構成を有し複雑な配線を必要とする事無く検知動作を行う事ができる。  検知センサーによる車両内の気圧、音圧、侵入、等の異常変化検知信号は異常検知認識部においてレベル検知処理が行われその検知レベルが車両侵入と判断された場合は異常検知信号を発し警報装置を動作させる事により警報サイレンを鳴らし周囲及び車両内進入への警告を発し自動車盗難行為及び車上荒らしの行為を迅速に中止させて被害を最小限に押さえる事ができるシステム構成を有する。【００１８】  検知センサーは自動車のシガーライターソケットに対応したプラグ構造を有したワイヤレス自動車セキュリティー装置に構成する事により電源部、異常検知認識部、セキュリティー警報送信機、ワイヤレスリモコン受信部を一体化して構成する事により小型化が図られる。【００１９】  更にセキュリティー警報送信機からの異常信号を受信して周囲に警報を発する事ができる警報装置を自動車のエンジンルーム内又は周囲へ設置しセキュリティー動作電波をワイヤレス又は専用線で受信する事により周囲へ車両の異常を警報サイレンにより発する事が出来る構成を有する。【００２０】  本発明のワイヤレス自動車セキュリティー装置は自動車のシガーライターソケットに対応したプラグ構成を有している為に電源供給は自動車のバッテリーから無配線によって供給される特徴を有している。【００２１】  更に本発明のワイヤレス自動車セキュリティー装置は専用のワイヤレスリモコンを用いてシステム動作の開始と停止を行う事ができ尚且つ停止信号は同時に警報装置にも送信されて不用意に鳴らした警報サイレンを停止させる事ができる停止信号を発する手段を有する。【００２２】  又、本発明のワイヤレス自動車セキュリティー装置には電源を共通化したワイヤレス通信技術による音楽再生装置が組み込まれ自動車盗難防止装置を使用しない走行時又は停車時は音楽再生装置として機能する構成を有す。【００２３】  同時に音楽再生装置の電源は配線の必要を無くす手段としてシガーライターソケットから同時に電力をバッテリーから供給される構成を有している。【００２４】  ワイヤレス音楽再生手段はフラッシュメモリーに記録されたデジタルデーターによる音楽再生とＣＤプレーヤー又はＭＤプレーヤー等のアナログ出力データーの音楽再生を行う事が出来る入力端子を複数設け更にその音楽は自動車に設置されている放送受信機を使って音楽を再生を行い簡単に音楽を聞く事が出来るワイヤレス無線技術の手段を用いて自動車セキュリティー機能と音楽再生機能の二つの機能を複合化技術により具現化を図る。
【発明の効果】  本発明は、以下に記載される特徴と効果を奏する。【００２５】  本発明のワイヤレス自動車セキュリティー装置は自動車に設置されているシガーライタソケットに対応したプラグ構成により音楽再生機能を複合化したシステム構成を有している為に共通化、小型化、が図られる。【００２６】  更に本発明のワイヤレス自動車セキュリティー装置はシガライターソケットに対応した構成により無配線によりバッテリーより電力の供給を受ける事ができ更に不要時には容易に取り外す事ができる構成を有している。【００２７】  自動車内侵入者はシガーライターソケットに対応したワイヤレス自動車セキュリティー装置に組み込まれた検知センサーに迅速に異常を検知され更にワイヤレスにより警報装置へその信号が送信され検知センサーを破損させても警報サイレンを容易に停止する事ができない構成を有し自動車盗難、車上荒らしを迅速に中止させて被害を最小限に押さえる事が可能となる。【００２８】  又、同じワイヤレス自動車セキュリティー装置内にワイヤレス音楽再生装置を構成した事により自動車走行時は音楽再生装置として動作し駐車中は自動車盗難防止装置として動作する構成を有し複合化された一つのユニットに二つの機能を自動車内の装置として有効に使用する事ができるワイヤレス自動車セキュリティー装置である。
【発明を実施するための最良の形態】
【００２９】  本発明のワイヤレス自動車セキュリティー装置を実施するための最良の形態の一例を図１〜図９に示しそれぞれの構成を各図に基づいて説明する。
【実施例１】
【００３０】  図１は本発明のワイヤレス自動車セキュリティー装置（１）１のシステム構成を示したもので図（ａ）は音楽再生装機能部の音楽ソース入力端子構成を示し図（ｂ）は自動車セキュリティー装置の機能部と音楽再生装機能部の構成を示し図（ｃ）は自動車に設置されいるシガーライターソケット２１で本発明のワイヤレス自動車セキュリティー装置（１）１をセットして電源供給を得るため実施の一例を示したものである。【００３１】  図２に示した本発明のワイヤレス自動車セキュリティー装置（１）１は自動車盗難行為及び車上荒らしを検知防止する事ができる機能と外部から音楽ソースを入力して自動車セキュリティー装置が使用されていない自動車走行時又は停車中に音楽を自動車に設置されている放送受信機を経由して聞く事ができる機能を複合化した事を特徴としたワイヤレス自動車セキュリティー装置（１）１のシステム構成を示す。【００３２】  ワイヤレス自動車セキュリティー装置（１）１の構成及び動作を図２及び図３、図（ａ）、図（ｂ）を用いて説明を行う。  自動車を駐車しワイヤレス自動車セキュリティー装置（１）１を動作状態にセットさせる為にはワイヤレスリモコン３１のセキュリティーＯＮツマミ３２を操作する事によりリモコンから送信されたリモコン制御電波２４はリモコン受信機１５に受信される。【００３３】  リモコン制御電波２４を受信したワイヤレス自動車セキュリティー装置（１）１は待機状態となり検知センサー４４は車両内の監視を開始する。【００３４】  検知センサー４４は自動車のドアー開閉又はガラス窓の破損に対して高感度で空気の流れ、音、侵入者、等を検知する。【００３５】  検知センサー４４は車両内全域にわたる検知方向（１）４１、検知方向（２）４２、検知方向（３）４３により異常検知が行われる。【００３６】  検知センサー４４が異常検知を行ったその検知信号は図３に示す異常検知認識部４７により検知信号の解析が行われ車両進入が認識された場合、図２に示すセキュリティー警報送信機１３は警報装置３５のセキュリティー警報受信機３７へセキュリティー動作電波２５を送信する。【００３７】  セキュリティー動作電波２５を受信したセキュリティー警報受信機３７は警報制御部３６により警報サイレン３８、ヘッドライト３９、関連警報装置４０、を動作させて周囲に自動車の異常を発する。【００３８】  警報装置３５は常時自動車バッテリー３４から電力の供給を受けておりセキュリティー警報受信機３７はセキュリティー動作電波２５を受信する事により警報制御部３６の動作を開始させる。  このようにして検知センサーの異常を処理して警報装置３５により車両の異常を周囲に警報サイレンを用いて知らせる事により被害を最小限に押さえる事が可能となる。【００３９】  自動車を駐車セット状態から運転可能状態に戻すには図３（ｂ）に示すワイヤレスリモコン３１のセキュリティーＯＦＦツマミ３３を操作する事によりそのリモコン制御電波（ｏｆｆ）５７はリモコン受信機１５に受信されＣＰＵ４８によるシステム制御によりワイヤレス自動車セキュリティー装置（１）１は動作を停止する。【００４０】  又、自動車が盗難行為又は車上荒らしにより侵入者がワイヤレス自動車セキュリティー���置（１）１のプラグ部１７を破壊する場合がある。  このような場合、既に警報サイレンは鳴り始め周囲は異常に気付き始めている。【００４１】  このような状態時に自動車の異常を早期に発見し警報サイレンの音を停止させようとしてもプラグ部１７の破戒によりワイヤレスリモコン３１のセキュリティーＯＦＦツマミを操作しても警報サイレンは停止しない。【００４２】  この為に図３（ｂ）に示すワイヤレスリモコン３１から送信するリモコン制御電波（ＯＦＦ）５７を同時に警報装置３５のセキュリティー警報受信機３７へ送信する事により警報サイレンの停止を行う事が可能となる。【００４３】  自動車駐車中はこのような動作プロセスにより異常時のシステム動作を行う事が可能となり更に盗難行為及び車上荒らしから自動車を守る事ができる。【００４４】  シガライターソケット２１にはソケット＋電極２２、ソケット−電極を有しそれぞれの端子は自動車バッテリーへ接続されている。電力供給はワイヤレス自動車セキュリティー装置（１）１をシガーライタソケット２１へセットする事により容易に電力の供給を受ける事ができる。【００４５】  又、ワイヤレス自動車セキュリティー装置（１）１に複合化されているワイヤレス音楽再生装置により音楽を自動車に設置されている放送受信機を経由して聞く事が出来る構成を有している。【００４６】  音楽再生装置はワイヤレス自動車セキュリティー装置（１）１の構成としてシガーライターソケット２１に対応したプラグ部１７に構成され電源は全て共通化を図り無配線によりシガーライターソケット２１を通して自動車バッテリーから電力の供給を受ける事が出来る。【００４７】  ワイヤレス音楽再生装置部の動作について図２及び図４により説明を行う。  図２、図（ａ）は音楽ソースの入力端子部を表したもので複数の音楽ソースを入力する事ができる入力端子を有している。【００４８】  一例として入力端子（１）２はＣＤプレーヤー又はＭＤプレーヤー等からのアナログ信号入力に対応し入力端子（２）３及び入力端子（３）４はメモリー５のデジタル音楽信号入力に対応している。【００４９】  図（ｂ）は本発明のワイヤレス自動車セキュリティー装置（１）１の自動車セキュリティー装置部と音楽再生装置部の機能構成を示したもので各入力端子より入力された音楽データーは表示器（１）６に音楽情報が表示され音楽ストップ／プレーツマミ１０を操作する事により音楽は停止及びスタートを開始し音楽アップツマミ１０を操作する事により音楽は進み音楽ダウンツマミ１２を操作する事により音楽再生順番は戻再生を行う。【００５０】  音楽の曲名、音楽の順番、音楽レベル、送信電波の周波数等は表示器（１）６に表示され更に必要なサブ機能表示は表示器（２）７に表示される。  放送受信機２９へ送信する音楽データー送信電波２６の送信周波数設定は送信周波数選択ツマミ１４により設定する事が可能である。【００５１】図（ｃ）はシガーライトソケット２１の構成を示し前項説明と同様な構成を有している。【００５２】  図（ｅ）は放送受信機２９の構成を示したものでアンテナ２７、電源供給用の電源線２８を有しワイヤレス音楽再生装置部の無線送信部１６から送信された音楽データー送信電波２６を受信し音楽再生を行う事ができる機能をもっている。【００５３】  このような構成を有したワイヤレス音楽再生装置により音楽を聞く場合は図２に示す本発明のワイヤレス自動車セキュリティー装置（１）１をシガーライトソケット２１へセットしメモリー５を本、ワイヤレス音楽再生部に設けられている入力端子（２）３及び入力端子（３）４へセットする事により音楽は再生を開始する。【００５４】  図４によりこれらの音楽再生のプロセスを説明する。音楽データーが記録されたメモリー５はワイヤレス自動車セキュリティー装置（１）１に構成されているワイヤレス音楽再生装置部により音楽データーが読み込まれる。【００５５】  メモリー５に記録された音楽データーは図４に示す適合ソフト識別部５０により自動的に認識され音楽再生がスタートする。不適合の場合は表示器（１）６へ表示され音楽再生が行われない。再生された音楽データーは音楽再生信号処理部５１によりその音楽情報は表示器（１）６へ表示されその音楽内容を確認する事ができる。【００５６】  音楽の選択は表示器（１）６の音楽選択部８により音楽を選択する事ができ更に音楽選択決定部の信号処理により決定処理が行われる。  表示器（１）６に表示される内容の一例として曲名、曲番号、再生曲順番、信号レベル、音楽データー圧縮種別、送信周波数、等が、任意に表示される。【００５７】  音楽再生内容が決定される事により音楽再生制御部５３は放送受信機２７へ送る音楽再生データーを音楽信号送信制御部５２へ送り無線送信部１６はその音楽データー送信電波２６を送信する事によりアンテナ２７により受信され放送受信機２９により復調され音楽をスピーカー３０により再生される。【００５８】  このようにワイヤレス音楽再生装置部の表示器（１）６及び表示器（２）７、等を設ける事により音楽の選択及び音楽情報を効果的に操作、選択する事ができる特徴を有し更に音楽を自由に選択調整する事ができるワイヤレス音楽再生装置を構成することが可能となる。【００５９】  しかし従来、このような手段により自動車のシガライターソケットにワイヤレス音楽再生装置をセットし音楽再生後に電源をＯＦＦしたり自動車のエンジンキーを外す事により同じく電源がＯＦＦされこの結果、音楽データーは消滅してしまう事が起こっていた。【００６０】  再度音楽を聞くためにエンジンキーをＯＮさせる事によりワイヤレス音楽再生装置は初期状態となり最初の音楽から再生をはじめ多くの音楽データーを検索する為には大きな障害が生じていた。【００６１】  この為に本ワイヤレス音楽再生装置部には音楽データーメモリ部４９を設けエンジンキーを外しても音楽データーを消滅させる事無く次に同じメモリー５を使用した場合は最後に再生した音楽から聞く事ができるメモリー機能を有している。【００６２】  更にメモリー５の動作不具合によりシステムがストップした場合はリセット・電源スイッチ９により瞬時にシステムが回復する機能を有している。【００６３】  又、自動車の車種によってはエンジンキーを外してもシガライターソケットに電気が通じておりこの為にワイヤレス音楽再生装置部には常時電気が入っている状態が起こり長期間自動車を運転しない場合はバッテリーの消耗を加速する事が起こりこの為にリセット・電源スイチを設けてこれらの課題を解決している。【００６４】  又、自動車が駐車状態になり自動車セキュリティー装置部の動作をＯＮさせる為に、ワイヤレスリモコン３１のセキュリティーＯＮツマミ３２を操作した時は音楽再生装置部の電源はＯＦＦされ自動車を運転状態にする為にワイヤレスリモコン３１のセキュリティーＯＦＦツマミ３３を操作した時は音楽再生装置部の電源はＯＮされる構成を有し駐車中の消費電力を低減する事によりバッテリーの負担を軽減させる構成を有する。【００６５】  このように自動車のシガーライターソケットに対応したワイヤレス自動車セキュリティー装置（１）１は無配線により任意にシガーライターソケット２１へセットする事により手軽に自動車の盗難防止と車上荒らしを防止する事が出来る特徴を持った自動車盗難防止装置機能と自動車運転中はワイヤレス方式により放送受信機により音楽を聞く事が出来る複合化構成による特徴を持った自動車盗難防止装置を提供する事が出来る。
【実施例２】
【００６６】  実施例２の構成を図６及び図７に動作フローチャートを図３、図（ａ）及び図（ｂ）に示す。  図６は本発明の実施例１に示したワイヤレス自動車セキュリティー装置（１）１の構成からワイヤレス音楽再生装置部の構成を外したワイヤレス自動車セキュリティー装置（２）４６の構成を示したものである。【００６７】  図６、図（ａ）はワイヤレス自動車セキュリティー装置（２）４６の検知センサー４４の構成を示し図（ｂ）は機能構成を示し図（ｃ）は自動車のシガーライターソケット２１を示す。【００６８】  図（ｂ）は本発明のワイヤレス自動車セキュリティー装置（２）４６の構成を示したもで検知センサー４４、リモコン受信機１５、送信周波数選択ツマミ、セキュリティー警報送信機１３、の構成を有し電源はシガーライターソケット２１に対応したプラグ１７の構成を有してる。【００６９】  このような自動車盗難検知センサー機能を有したワイヤレス自動車セキュリティー装置（２）４６は自動車のシガライターソケット２１へセットする事により動作を可能とさせる。【００７０】  シガライターソケット２１にはソケット＋電極２２、ソケット−電極を有しそれぞれの端子は自動車のバッテリーへ接続されている。【００７１】  ワイヤレス自動車セキュリティー装置（２）４６の動作を図３及び図７を用いて説明を行う。  図７に示すワイヤレス自動車セキュリティー装置（２）４６を動作させる為にはワイヤレスリモコン３１のセキュリティーＯＮツマミ３２を操作する事によりリモコン制御電波２４はリモコン受信機１５に受信される。【００７２】  リモコン制御電波２４を受信したワイヤレス自動車セキュリティー装置（２）４６は待機状態となり検知センサー４４は車両内の監視を開始する。【００７３】  この状態で自動車盗難行為を行う為に車両内への進入を図り車両ドアーの開閉又はガラスの破損が行われる事により検知センサー４４は検知方向（１）４１、検知方向（２）４２、検知方向（３）４３、のエリアを含んだ車両内全域の異常を検知する。【００７４】  検知センサー４４は自動車のドアー又はガラス窓の破損に対して高感度な検知ができるフイルター特性を有し車両内の気圧、音圧、侵入者、検知を行う事ができドアーの開閉と窓ガラスの破損時は異常検知認識部４７においてそれぞれの気圧変化、音圧変化、侵入者認識、等の検知特性を解析し異常特性レベルが設定値に達していた場合は異常検知信号を出力するプロセスを有している。【００７５】  異常検知認識部４７により検知信号の解析が行われ車両内進入が認識された場合、セキュリティー警報送信機１３は警報装置３５のセキュリティー警報受信機３７に対してセキュリティー動作電波２５を送信する。【００７６】  セキュリティー動作電波２５を受信したセキュリティー警報受信機３７は警報制御部３６により警報サイレン３８、ヘッドライト３９、関連警報装置４０、を動作させて周囲に自動車の異常を知らせる。  このような動作プロセスにより自動車の異常を周囲へ知らせて自動車盗難行為又は車上荒らしを未然に防止し被害を最小限い押さえる事が出来る。【００７７】  自動車を駐車セット状態から運転可能状態にセットする場合は図３（ｂ）のプロセス図によりワイヤレスリモコン３１のセキュリティーＯＦＦツマミ３３を操作する事によりそのリモコン制御電波２４はリモコン受信機１５に受信されワイヤレス自動車セキュリティー装置（２）４６は動作を停止する。【００７８】  又、自動車が盗難行為又は車上荒らしにより侵入者がワイヤレス自動車セキュリティー装置（１）１のプラグ部１７を破損する場合がある。  このような場合は既に警報サイレンは鳴り始め周囲は異常に気付き始めている。【００７９】  このような状態時に自動車の異常を早期に発見し警報サイレンの音を停止させようとしてもプラグ部１７の破壊によりワイヤレスリモコン３１のセキュリティーＯＦＦツマミを操作しても警報サイレンは停止しない。【００８０】  この為に図３（ｂ）に示すワイヤレスリモコン３１から送信するリモコン制御電波（ＯＦＦ）５７を同時に警報装置３５のセキュリティー警報受信機３７へ送信する事により警報サイレンの停止を行う事が可能となる。【００８１】  自動車駐車中はこのような動作プロセスにより異常時のシステム動作を行う事が可能となり更に盗難行為及び車上荒らしから自動車を守る事ができる。【００８２】  このような構成により自動車のシガーライターソケットに対応したワイヤレス自動車セキュリティー装置（２）４６をシガーライターソケット２１へセットする事により手軽に自動車の盗難行為と車上荒らしを検知し迅速に対応する事により被害を最小限に押さえる事ができる特徴を有した自動車盗難防止装置を提供する事が出来る。
【実施例３】
【００８３】  実施例３は実施例１の構成からデジタル音楽データーを記録して再生する事ができるメモリー５を使った再生機能を外しアナログ音楽データーを使った音楽再生機能とその音楽データーを放送受信機へ送信し音楽を聞く事ができる構成とワイヤレス自動車セキュリティー機能を複合化し小型化を図る事により効果的な機能統合が行える装置を提供する事が可能となる。【００８４】  ワイヤレス自動車セキュリティー装置（３）５６の構成を図８及び図９に示し動作フローチャートを図３、図（ａ）、図（ｂ）、及び図５に示す。  図８（ａ）はワイヤレス自動車セキュリティー装置（３）５６における外部音楽再生装置４５の音楽ソース入力端子（１）２の配置を示し図（ｂ）は検知センサー４４、リモコン受信機１５、送信周波数選択ツマミ１４、セキュリティー警報送信機１３、無線送信部１６の構成を有し電源はシガーライターソケット２１に対応したプラグ１７の構成を有し図（ｃ）はシガライターソケット２１を示す。【００８５】  図９はワイヤレス自動車セキュリティー装置（３）５６のシステム構成を示し図（ａ）、図（ｂ）、図（ｃ）、は図８と同様図で図（ｄ）はワイヤレスリモコン、図（ｅ）は放送受信機を示し（ｆ）は自動車バッテリーに接続された警報装置３５の構成を示す。【００８６】  このような自動車盗難検知センサー機能を有したワイヤレス自動車セキュリティー装置（３）５６を自動車のシガライターソケット２１へセットする事によりセキュリティー検知動作を可能とさせる。【００８７】  シガライターソケット２１にはソケット＋電極２２、ソケット−電極を有しそれぞれの端子は自動車バッテリーへ接続され電力の供給を受ける事ができる。【００８８】  自動車を駐車しワイヤレス自動車セキュリティー装置（３）５６を動作させる為にはワイヤレスリモコン３１のセキュリティーＯＮツマミ３２を操作する事によりリモコン制御電波２４はリモコン受信機１５に受信される。【００８９】  リモコン制御電波２４を受信したワイヤレス自動車セキュリティー装置（３）５６は待機状態となり検知センサー４４は車両内の監視を開始する。【００９０】  この状態で自動車盗難行為を行う為に車両内への進入を図り車両ドアーの開閉又はガラスの破損が行われる事により検知センサー４４は検知方向（１）４１、検知方向（２）４２、検知方向（３）４３、のエリアを含んだ車両内全域の異常を検知する事ができる。【００９１】  検知センサー４４は自動車のドアー又はガラス窓の破損に対して高感度な検知ができる検知センサーにより車両内の気圧、音圧、侵入者、の検知を行う事ができドアーの開閉と窓ガラスの破損時は異常検知認識部４７は車両内の気圧変化、音圧変化、侵入者の検知センサー信号の解析を行い異常特性レベルが設定値に達していた場合は異常検知信号を出力するプロセスを有している。【００９２】  検知信号の解析により異常検知レベルと認識された場合、セキュリティー警報送信機１３は警報装置３５のセキュリティー警報受信機３７へセキュリティー動作電波２５を送信する。【００９３】  セキュリティー動作電波２５を受信したセキュリティー警報受信機３７は警報制御部３６により警報サイレン３８、ヘッドライト３９、関連警報装置４０、を動作させて周囲に自動車の異常を知らせる。  このような動作プロセスにより自動車の異常を周囲へ知らせ自動車盗難行為又は車上荒らしを中止させて被害を最小限い押さえる事が出来る。【００９４】  自動車を駐車セット状態から運転可能状態にセットする場合は図３（ｂ）のプロセス図によりワイヤレスリモコン３１のセキュリティーＯＦＦツマミ３３を操作する事によりそのリモコン制御電波２４はリモコン受信機１５に受信されワイヤレス自動車セキュリティー装置（３）５６は動作を停止する。【００９５】  又、自動車が盗難行為又は車上荒らしにより侵入者がワイヤレス自動車セキュリティー装置（３）５６のプラグ部１７を破損する場合がある。  このような場合は既に警報サイレンは鳴り始め周囲は異常に気付き始めている。【００９６】  このような状態時に自動車の異常を早期に発見し警報サイレンの音を停止させようとしてもプラグ部１７の破壊によりワイヤレスリモコン３１のセキュリティーＯＦＦツマミを操作しても警報サイレンは停止しない。【００９７】  この為に図３（ｂ）に示すワイヤレスリモコン３１から送信するリモコン制御電波（ＯＦＦ）５７を同時に警報装置３５のセキュリティー警報受信機３７へ送信する事により警報サイレンの停止を行う事が可能となる。【００９８】  図５により音楽再生プロセスを説明する。音楽ソースが記録されている外部音楽再生装置４５のアナログ音楽データーはワイヤレス自動車セキュリティー装置（３）５６に構成されている音楽再生装置部により音楽データーが読み込まれる。【００９９】  外部音楽再生装置４５のアナログ音楽データーは入力端子（１）５４に入力されプリアンプ５４により信号レベル調整が行われ更に音楽再生制御部５５において音楽再生信号処理を行い音楽信号送信制御部５２はその送信信号を無線送信部１６に送る事により音楽データー送信電波２６を放送受信機２９へ送信する。【０１００】  音楽データー送信電波２６をアンテナ２７が受信し放送受信機２９はその受信信号を復調してスピーカー３０より音楽を出力する事ができる。【０１０１】  自動車が駐車状態になり自動車セキュリティー装置部の動作をＯＮさせる為に、ワイヤレスリモコン３１のセキュリティーＯＮツマミ３２を操作した時は音楽再生装置部の電源はＯＦＦされ自動車を運転状態にする為にワイヤレスリモコン３１のセキュリティーＯＦＦツマミ３３を操作した時は音楽再生装置部の電源はＯＮされる構成を有し駐車中の消費電力を低減する事によりバッテリーの負担を軽減させる構成を有する。【０１０２】  このように自動車のシガーライターソケットに対応したワイヤレス自動車セキュリティー装置（３）５６は無配線により任意にシガーライターソケット２１へセットする事により手軽に自動車の盗難防止と車上荒らしを防止する事が出来る特徴を持った自動車盗難防止装置機能と自動車運転中はワイヤレス方式により放送受信機により音楽を聞く事が出来る複合化構成による特徴を持った自動車盗難防止装置を提供する事が出来る。
【産業上の利用可能性】
【０１０３】  本発明のワイヤレス自動車セキュリティー装置は毎年増加する自動車盗難事件と車上荒らを防止する事ができる装置として提供する事ができ、尚且つその取扱は簡単にしかも安い価格で提供される構成を有し自動車のシガライターソケットを活用して電源配線を無くし同時にこれらのユニット構成にワイヤレスで自動車に設置されている放送受信機で音楽再生が出来る装置を結合させ自動車でのセキュリティー機能と音楽を楽しむ事ができる装置を提供する事により広く社会的な貢献が出来るものである。
【図面の簡単な説明】
【０１０４】
【図１】は本発明のワイヤレス自動車セキュリティー装置（１）の構成を示し図（ａ）は音楽入力端子部、図（ｂ）はシステム機能構成、図（ｃ）はシガライターソケットを示す。
【０１０５】
【図２】は本発明のワイヤレス自動車セキュリティー装置（１）のシステム構成と全体システム構成を示す。
【０１０６】
【図３】、図（ａ）は本発明のワイヤレス自動車セキュリティー装置のセキュリティー部のシステム動作フローチャートを示し図（ｂ）はワイヤレスリモコン動作によるシステムフローを示す。
【０１０７】
【図４】は本発明のワイヤレス自動車セキュリティー装置（１）における音楽再生装置部のシステム動作フローチャートを示す。
【０１０８】
【図５】はアナログ音楽データーを用いた場合のシステムフローを示す。
【０１０９】
【図６】は本発明のワイヤレス自動車セキュリティー装置（１）に複合化構成されていた音楽再生装置部の機能を外した自動車セキュリティー装置（２）の構成図を示す。図（ａ）は検知センサー、図（ｂ）はシステム機能構成、図（ｃ）はシガライターソケットを示す。
【０１１０】
【図７】は本発明のワイヤレス自動車セキュリティー装置（１）に複合化構成されていた音楽再生装置部の機能を外した自動車セキュリティー装置（２）のシステム構成図を示し図（ａ）は検知センサー、図（ｂ）はシステム機能構成、図（ｃ）はシガライターソケット、（ｄ）はワイヤレスリモコンを示す。
【０１１１】
【図８】はワイヤレス自動車セキュリティー装置（３）の構成を示す。
【０１１２】
【図９】はワイヤレス自動車セキュリティー装置（３）の構成と全体システム構成を示す。
【符号の説明】
【０１１３】  １．ワイヤレス自動車セキュリティー装置（１）  ２．入力端子（１）  ３．入力端子（２）  ４．入力端子（３）  ５．メモリー  ６．表示器（１）  ７．表示器（２）  ８．音楽選択部  ９．リセット・電源スイッチ１０．音楽アップツマミ１１．音楽スットプ／再生ツマミ１２．音楽ダウンツマミ１３．セキュリティー警報送信機１４．送信周波数選択ツマミ１５．リモコン受信機１６．無線送信部１７．プラグ部１８．プラグ−電極１９．プラグ＋電極２０．プラグ挿入方向２１．シガーライラーソケット２２．ソケット＋電極２３．ソケット−電極２４．リモコン制御電波（ＯＮ）２５．セキュリティー動作電波２６．音楽データー送信電波２７．アンテナ２８．電源線２９．放送受信機３０．スピーカー３１．ワイヤレスリモコン３２．セキュリティーＯＮツマミ３３．セキュリティーＯＦＦツマミ３４．バッテリー３５．警報装置３６．警報制御部３７．セキュリティー警報受信機３８．警報サイレン３９．ヘッドライト４０．関連警報装置４１．検知方向（１）４２．検知方向（２）４３．検知方向（３）４４．検知センサー４５．外部音楽再生装置４６．ワイヤレス自動車セキュリティー装置（２）４７．異常検知認識部４８．ＣＰＵ４９．音楽データーメモリー部５０．適合ソフト認識部５１．音楽再生信号処理部５２．音楽信号送信制御部５３．再生制御部５４．プリアンプ５５．音楽再生制御部５６．ワイヤレス自動車セキュリティー装置（３）５７．リモコン制御電波（ＯＦＦ）
【図１】
2006199254.tif 000003
【図２】
2006199254.tif 000004
【図３】
2006199254.tif 000005
【図４】
2006199254.tif 000006
【図５】
2006199254.tif 000007
【図６】
2006199254.tif 000008
【図７】
2006199254.tif 000009
【図８】
2006199254.tif 000010
【図９】
2006199254.tif 000011